(57)【要約】【課題】  従来の硝酸性窒素の除去方法においては、処理対象の液体を陽極側と陰極側とに分離させる必要がなく、処理後の液体の性質が変化しないようにして、液体中の硝酸性窒素を除去すること。【解決手段】  液体中に含有される硝酸性窒素を電気化学的還元と水素還元とにより除去する方法であって、前記液体中に一対の交流電極と、該一対の交流電極に近接させた少なくとも１つの接地電極とを配設し、前記液体を所定の温度に加熱し、前記一対の交流電極間に交流を印加し電気分解して電気化学的還元を行うと共に、該一対の交流電極及び／または前記接地電極から水素を発生させ該水素が硝酸性窒素と反応することにより硝酸性窒素を除去することにより、処理対象の液体を陽極側と陰極側とに分離させる必要がなく、処理後の液体の性質が変化しないようにして、液体中の硝酸性窒素を除去することができるようになる。【選択図】図１
2005296743.tif 000002
【特許請求の範囲】
【請求項１】
液体中に含有される硝酸性窒素を電気化学的還元と水素還元とにより除去する方法であって、
前記液体中に一対の交流電極と、該一対の交流電極に近接させた少なくとも１つの接地電極とを配設し、
前記液体を所定の温度に加熱し、
前記一対の交流電極間に交流を印加し電気分解して電気化学的還元を行うと共に、
該一対の交流電極及び／または前記接地電極から水素を発生させ該水素が硝酸性窒素と反応することにより硝酸性窒素を除去すること
を特徴とする硝酸性窒素の除去方法。
【請求項２】
前記一対の交流電極は、チタン、亜鉛、アルミニウム合金、鉄、コバルト、ニッケル、錫またはマグネシウム合金であり、
前記接地電極は、チタン、パラジウム、銀、亜鉛、アルミニウム、銅、真鍮、カーボン、ニッケル、鉄、コバルトまたはステンレス鋼であること
を特徴とする請求項１に記載の硝酸性窒素の除去方法。
【請求項３】
前記接地電極は、
周期的に接地の電位から交流を印加またはプラスの電位にすること
を特徴とする請求項１または２に記載の硝酸性窒素の除去方法。
【請求項４】
前記液体の加熱は、
加熱手段または一対の交流電極から発生する熱により行うこと
を特徴とする請求項１に記載の硝酸性窒素の除去方法。
【請求項５】
前記所定の温度は、
液体の温度が略３０℃以上であること
を特徴とする請求項１に記載の硝酸性窒素の除去方法。
【請求項６】
前記液体は、
含有する酸素を脱気すること
を特徴とする請求項１、４または５に記載の硝酸性窒素の除去方法。
【請求項７】
硝酸性窒素分解終了時に発生するアンモニア分解のため数分〜数時間接地電極をプラスの電位にすること
を特徴とする請求項１に記載の硝酸性窒素の除去方法。
【発明の詳細な説明】
【技術分野】
【０００１】
本発明は、例えば、飲料水、地下水、排水等の液体に含まれる硝酸性窒素を除去する方法に関し、詳しくは、該硝酸性窒素の電気化学的な分解と、該硝酸性窒素と原子状水素との化学的な反応とにより該硝酸性窒素を分解して前記液体中から除去する方法に関するものである。
【背景技術】
【０００２】
従来、この種の技術としては、例えば、被処理水を収容する収容部と、前記収容部に備えられた第１の電極対とを含み、前記第１の電極対の陰極は、両性金属を含む合金からなる第１の部材である、水処理装置がある。
【特許文献１】特開２００３−３１１２７４号公報
【０００３】
この特許文献１の公知技術においては、収容部内に第１の電極対、即ち陰極と陽極とを配設し、該第１の電極対から被処理水に直流を通電すると、陽極では、該陽極を形成する両性金属が溶出して水溶液中の陰イオンと反応させることにより、凝集剤を生成して硝酸性窒素を除去するというものである。
【発明の開示】
【発明が解決しようとする課題】
【０００４】
しかしながら、前記特許文献１の公知技術においては、被処理水に直流を通電し、収容部内を陰極と陽極とに分離させているため、陽極側の被処理水を使用することはできず、また、被処理水が中性の水であったとしても、処理後における該被処理水は、陰極側と陽極側とに特定の原子がそれぞれ移動するため、該陰極側の処理水がアルカリ性を示すようになり、一方、陽極側の処理水が酸性を示すようになって、被処理水の性質が変化してしまうという問題点を有している。
【０００５】
また、前述のように被処理水を陽極側と陰極側とに分離しなければならないため、前記被処理水として、例えば、貯水湖または浄水場等で前記特許文献１の公知技術を用いる場合には、該貯水湖または浄水場等に被処理水が貯水されたままの状態で処理をすることができず、該被処理水を陰極と陽極とが配設された収容部内に収容しなければならないのである。
【０００６】
従って、従来の硝酸性窒素の除去方法においては、処理対象の液体を陽極側と陰極側とに分離させる必要がなく、処理後の液体の性質が変化しないようにして、液体中の硝酸性窒素を除去するということに解決しなければならない課題を有している。
【課題を解決するための手段】
【０００７】
上記した従来例の課題を解決する具体的手段として本発明に係る硝酸性窒素の除去方法は、液体中に含有される硝酸性窒素を電気化学的還元と水素還元とにより除去する方法であって、前記液体中に一対の交流電極と、該一対の交流電極に近接させた少なくとも１つの接地電極とを配設し、前記液体を所定の温度に加熱し、前記一対の交流電極間に交流を印加し電気分解して電気化学的還元を行うと共に、該一対の交流電極及び／または前記接地電極から水素を発生させ該水素が硝酸性窒素と反応することにより硝酸性窒素を除去することを最も主要な特徴とする。
【０００８】
この発明においては、前記一対の交流電極は、チタン、亜鉛、アルミニウム合金、鉄、コバルト、ニッケル、錫またはマグネシウム合金であり、前記接地電極は、チタン、パラジウム、銀、亜鉛、アルミニウム、銅、真鍮、カーボン、ニッケル、鉄、コバルトまたはステンレス鋼であること；前記接地電極は、周期的に接地の電位から交流を印加またはプラスの電位にすること；前記液体の加熱は、加熱手段または一対の交流電極から発生する熱により行うこと；前記所定の温度は、液体の温度が略３０℃以上であること；前記液体は、含有する酸素を脱気すること；硝酸性窒素分解終了時に発生するアンモニア分解のため数分〜数時間接地電極をプラスの電位にすること；を付加的な要件として含むものである。
【発明の効果】
【０００９】
本発明に係る硝酸性窒素の除去方法は、液体中に含有される硝酸性窒素を電気化学的還元と水素還元とにより除去する方法であって、前記液体中に一対の交流電極と、該一対の交流電極に近接させた少なくとも１つの接地電極とを配設し、前記液体を所定の温度に加熱し、前記一対の交流電極間に交流を印加し電気分解して電気化学的還元を行うと共に、該一対の交流電極及び／または前記接地電極から水素を発生させ該水素が硝酸性窒素と反応することにより硝酸性窒素を除去することによって、処理対象の液体を陽極側と陰極側とに分離させる必要がなく、処理後の液体の性質が変化しないため、例えば、貯水湖または浄水場等の液体を特別な収容部内等に移動させず、そのままの状態であっても、前記貯水湖または浄水場等の液体中に含有される硝酸性窒素を除去することができるようになるという優れた効果を奏する。
【発明を実施するための最良の形態】
【００１０】
液体中に一対の交流電極と、該一対の交流電極に近接させた少なくとも１つの接地電極とを配設し、前記液体を略３０℃以上の温度に加熱して該液体から酸素を脱気し、前記一対の交流電極間に交流を印加し、前記接地電極を周期的に接地の電位から交流を印加またはプラスの電位にし、交流による電気分解を行うと共に、一対の交流電極及び／または前記接地電極から水素を発生させて硝酸性窒素を除去することにより実現される。
【実施例１】
【００１１】
次に、本発明を具体的な実施例に基づいて詳しく説明する。
本発明に係る硝酸性窒素の除去方法に用いることができる実施例１の電気回路を図１に示してある。処理槽１に収容された処理対象となる液体２中には、一対の交流電極３ａ、３ｂと、該一対の交流電極３ａ、３ｂに近接させた少なくとも１つの接地電極４とを配設している。この処理槽１は、必ずしも容器状の処理槽である必要はなく、例えば、貯水湖または浄水場等の液体２が貯水された施設等であっても良い。
【００１２】
また、液体２としては、例えば、一般的な水道水等の飲料水、貯水湖または浄水場等に貯水された水、地下水、家庭の生活排水、工場排水またはミネラルウォーター等の液体を処理対象として用いるものである。
【００１３】
一対の交流電極３ａ、３ｂとしては、例えば、チタン、亜鉛、アルミニウム合金、鉄、コバルト、ニッケル、錫またはマグネシウム合金等の溶解性の高い金属を使用することができ、また、接地電極４としては、例えば、チタン、パラジウム、銀、亜鉛、アルミニウム、銅、真鍮、カーボン、ニッケル、鉄、コバルトまたはステンレス鋼等のイオン化傾向の高い金属を使用することができる。
【００１４】
一対の交流電極３ａ、３ｂは、例えば、一時側がＡＣコード５に接続している変圧器６の二次側に接続されており、前記ＡＣコード５から供給された交流電圧を変圧器６により所定の電圧に変換して、該交流電圧を一対の交流電極３ａ、３ｂ間に印加できるようになっている。
【００１５】
また、変圧器６の二次側のそれぞれの配線には、ダイオード７ａ、７ｂのカソード側が接続されており、該ダイオード７ａ、７ｂのアノード側には、接地電極４が接続されている。そのため、接地電極４は、実質的に接地の電位になっている。
【００１６】
処理槽１の底部には、加熱手段８が配設されており、該加熱手段８により前記処理槽１内に収容された液体２を所定の温度に加熱することができるようになっている。この液体２の所定の温度としては、略３０℃以上の温度であることが好ましい。
【００１７】
この加熱手段８は、必要に応じて用いれば良く、液体２の温度が予め略３０℃以上であるような場合には、省略しても良い。この液体２の温度としては、略３０℃以上であれば良く、略４０℃〜略６５℃程度にすることが好ましい。
【００１８】
また、液体２の温度が略３０℃以下であっても、一対の交流電極３ａ、３ｂに交流を印加し、該交流による電気分解が行われる際に前記一対の交流電極３ａ、３ｂから発生する熱によって、前記液体２を加熱することができるため、短時間で処理の効果を得ることを目的としないような場合には、必ずしも加熱手段８を配設する必要はないのである。
【００１９】
このように、液体２の温度を略３０℃以上にすることにより、前記一対の交流電極３ａ、３ｂ間に交流を印加し、前記液体２を交流電気分解する際に、該液体２中に含有される酸素が脱気されるようになるのである。
【００２０】
そして、ＡＣコード５を図示していない交流電源に接続させることにより、一対の交流電極３ａ、３ｂ間に交流が印加されるようになり、該一対の交流電極３ａ、３ｂ及び／または接地電極４から水素（水素イオン、原子状水素）が発生するようになる。
【００２１】
このように、一対の交流電極３ａ、３ｂ間に交流を印加することにより、該交流で液体２を電気分解して、該液体２に電気化学的還元を生じさせることができると共に、該液体２中に水素（水素イオン、原子状水素）を発生させることにより、発生させた該水素が前記液体２中に含まれる硝酸性窒素と反応して還元されるようになる。この際、液体２中では、接地電極４側で下記のような反応が生ずることになる。
【００２２】
また、ダイオード７ａ、７ｂと接地電極４との間に切り換えスイッチ９を接続すると共に、変圧器６の二次側のそれぞれの配線にダイオード１０ａ、１０ｂのアノード側を接続させ、該ダイオード１０ａ、１０ｂのカソード側を前記切り換えスイッチ９の他方の端子に接続し、該切り換えスイッチ９により切り換えられるようにしても良い。
【００２３】
この切り換えスイッチ９を切り換えるのは、液体２の硝酸性窒素分解終了時であり、該硝酸性窒素分解終了時に発生するアンモニアを分解するために数分〜数時間接地電極４をプラスの電位にして、液体２中のアンモニアを分解させるのである。
【００２４】
水素イオンの還元反応
（式１）（主に電気化学的還元）
２Ｈ＋ ＋ ２ｅ → ２Ｈ → Ｈ２
【００２５】
硝酸イオンの還元反応
（式２）（主に電気化学的還元）
ＮＯ−３ ＋ ２Ｈ＋ ＋ ２ｅ → ＮＯ−２ ＋ Ｈ２Ｏ
【００２６】
亜硝酸イオンの還元反応
（式３）（主に電気化学的還元）
２ＮＯ−２ ＋ ８Ｈ＋ ＋ ６ｅ → Ｎ２ ＋ ４Ｈ２Ｏ
（式４）（主に電気化学的還元）
ＮＯ−２ ＋ ４Ｈ＋ ＋ ２ｅ → ＮＨ＋４ ＋ ２Ｈ２Ｏ
【００２７】
更に、確認されてはいないが、液体２中の接地電極４側では、水素（水素イオン、原子状水素）により下記のような反応が生じていることも考えられる。
【００２８】
（式５）（主に化学的還元）
ＮＯ−３ ＋ ２Ｈ → ＮＯ２− ＋ Ｈ２Ｏ
（式６）（主に化学的還元）
２ＮＯ−２ ＋ ６Ｈ ＋ ２Ｈ＋ → Ｎ２ ＋ ４Ｈ２Ｏ
（式７）（主に化学的還元）
ＮＯ−２ ＋ ６Ｈ ＋ ２Ｈ＋ → ＮＨ＋４ ＋ ２Ｈ２Ｏ
【００２９】
また、従来の直流による電気分解と異なり、交流による電気分解においては、液体２中の一対の交流電極３ａ、３ｂ側では、下記式８のような反応も生ずることになる。
【００３０】
アンモニウムイオンの酸化反応
（式８）
ＮＨ＋４ ＋ ４ＯＨ− → 1/2Ｎ２ ＋ ４Ｈ２Ｏ ＋ ３ｅ
【００３１】
また、液体２中に塩素イオン（Ｃｌ−）が含まれると、一対の交流電極３ａ、３ｂによって該塩素イオンが酸化されて次亜塩素酸イオン（ＣｌＯ−）が生じるか、または、前記塩素イオンが酸化されてＣｌ２が生じ、該Ｃｌ２が不均化反応により次亜塩素酸イオンになる。そして、アンモニアイオンは、次亜塩素酸イオンによって酸化され、Ｎ２ガスになる。
【００３２】
（式９）
２ＮＨ＋４ ＋ ３ＣｌＯ− → Ｎ２ ＋ ２Ｈ＋ ＋ ３Ｃｌ− ＋ ３Ｈ２Ｏ
【００３３】
従って、従来技術のように処理槽１内を２つに分離して、処理対象の液体２を陽極側と陰極側とに分離させる必要がないため、例えば、貯水湖または浄水場等の液体を特別な収容部内等に移動させず、そのままの状態であっても、硝酸性窒素が交流によって電気化学的に電気分解が行われると共に、一対の交流電極３ａ、３ｂ及び／または接地電極４から発生された水素（水素イオン、原子状水素）と、硝酸性窒素とが化学的に反応して、硝酸性窒素が還元されることにより、前記貯水湖または浄水場等の液体中に含有される硝酸性窒素を除去することができ、その際、一対の交流電極３ａ、３ｂに印加される電圧は、プラスとマイナスとが交互に繰り返されるため、処理後の液体２の性質が変化することがないのである。
【００３４】
そして、この交流電気分解の際に生ずる酸素は、前述のように液体２を所定の温度に加熱することにより、該液体２から酸素が脱気されていると共に、残存する酸素は前記溶解性の高い金属から形成されている一対の交流電極３ａ、３ｂと反応するため、液体２中には、酸素分子として殆ど存在しないことになり、水素と、硝酸性窒素との反応の妨げになることはないのである。
【００３５】
また、この実施例１の電気回路において、該電気回路に電源を供給する方法として、ＡＣコード５を交流電源に接続しているが、前記電気回路に電源を供給する方法は、これに限定されるものではなく、例えば、直流電源（例えば電池等）を用い、該直流電源を交流に変換する回路を形成して一対の交流電極３ａ、３ｂに交流を印加できるようにしても良い。
【００３６】
そのため、電源として、例えば電池を用い、同一出願人に係る特許第３３２５０８１号公報に記載されたようなフロート状の装置に本発明に係る硝酸性窒素の除去方法を用いることにより、貯水湖または浄水場等に貯水された液体に前記フロート状の装置を浮かべておくだけで、前記液体２から硝酸性窒素を容易に除去できるようになるのである。
【００３７】
更に、接地電極４を周期的に一対の交流電極３ａ、３ｂに供給される交流の配線に接続して周期的に交流を印加する、または、周期的に前記直流電源のプラス側に接続して周期的に接地の電位からプラスの電位にすることにより、前記接地電極４に吸着したスケール等を除去してクリーニングできるようになるため、該接地電極４から発生する水素の量が低下することなく、該水素の発生量を安定して維持できるのである。ほか、液体２中に酸素を補給し、アンモニア（ＮＨ４）の分解も可能にする。
【００３８】
次に、本発明に係る硝酸性窒素の除去方法を用いて、液体中に含有される硝酸性窒素が除去されることを確認する試験を行った結果を以下に示す。なお、これら試験においては、一対の交流電極として、亜鉛板を用い、接地電極として、真鍮板を用いたものである。また、液体として、水道水に硝酸を混合させて、該液体中に含有される硝酸が略２００ｐｐｍ程度になるように調整して用いたものであり、そのため、硝酸性窒素として、特に硝酸の除去・減少を確認することにより、硝酸性窒素の除去・減少についても確認しているものである。
【００３９】
（試験１）
この試験１においては、液体の温度を略３１℃程度に加熱した。この液体は、略ｐＨ４程度であった。この試験１により硝酸性窒素（特に硝酸）の除去・減少を確認した結果を表１に示す。
【００４０】
【表１】
2005296743.tif 000003
【００４１】
（試験２）
この試験２においては、液体の温度を略１２℃程度のものを用いた。この液体は、略ｐＨ１１．１程度であった。この試験２により硝酸性窒素（特に硝酸）の除去・減少を確認した結果を表２に示す。
【００４２】
【表２】
2005296743.tif 000004
【００４３】
（試験３）
この試験３においては、液体を沸騰させた後、冷却して温度が略３１℃程度に低下したものを用いた。この液体は、略ｐＨ１１．２程度であった。この試験３により硝酸性窒素（特に硝酸）の除去・減少を確認した結果を表３に示す。
【００４４】
【表３】
2005296743.tif 000005
【００４５】
（試験４）
この試験４においては、液体の温度を略６５℃程度に加熱した。この液体は、略ｐＨ１１．０程度であった。この試験４により硝酸性窒素（特に硝酸）の除去・減少を確認した結果を表４に示す。
【００４６】
【表４】
2005296743.tif 000006
【００４７】
（試験５）
この試験５においては、液体の温度が略３１℃程度であった。この液体は、略ｐＨ９．０程度であった。この試験５により硝酸性窒素（特に硝酸）の除去・減少を確認した結果を表５に示す。
【００４８】
【表５】
2005296743.tif 000007
【００４９】
（試験６）
この試験６においては、液体の温度を略３９℃程度に加熱した。この液体は、略ｐＨ６程度であった。この試験６により硝酸性窒素（特に硝酸）の除去・減少を確認した結果を表６に示す。
【００５０】
【表６】
2005296743.tif 000008
【００５１】
（試験７）
この試験７においては、液体の温度を略３７℃程度に加熱した。この液体は、略ｐＨ６程度であった。この試験７により硝酸性窒素（特に硝酸）の除去・減少を確認した結果を表７に示す。
【００５２】
【表７】
2005296743.tif 000009
【００５３】
（試験８）
この試験８においては、液体の温度を略３２℃程度に加熱した。この液体は、略ｐＨ４程度であった。この試験８により硝酸性窒素（特に硝酸）の除去・減少を確認した結果を表８に示す。
【００５４】
【表８】
2005296743.tif 000010
【００５５】
これら表１乃至表８から明らかなように、本発明に係る硝酸性窒素の除去方法を用いることにより、液体中に含まれる硝酸（硝酸性窒素）を除去・減少させることができ、特に、液体の温度を略３０℃以上にしたときに効率良く液体中に含まれる硝酸（硝酸性窒素）を除去・減少できることが理解できる。
【実施例２】
【００５６】
次に、本発明に係る硝酸性窒素の除去方法に用いることができる実施例２の電気回路を図２に示してある。なお、この実施例２においては、前記実施例１の一対の交流電極３ａ、３ｂにトランジスタから構成される高周波スイッチを接続させ、また、加熱手段を省略したものであり、その他の構成については、前記実施例１と実質的に同一であるため、前記実施例１と実質的に同一の部分については、同一の符号を付し、説明が重複するため、その詳細な説明については省略する。
【００５７】
この実施例２においては、前記実施例１で用いていた加熱手段を省略してある。このように、加熱手段を省略した場合であっても、交流電気分解時に一対の交流電極３ａ、３ｂから生ずる熱によって、液体２は加熱されるのである。
【００５８】
実施例２においては、ＡＣコード５が変圧器６の一次側に接続され、該変圧器６の二次側には、ダイオードブリッジ回路１１が接続されているため、前記ＡＣコード５から供給される交流は、前記ダイオードブリッジ回路１１により整流されて略直流に変換される。
【００５９】
このダイオードブリッジ回路１１には、高周波発振器１２が接続されており、前記ダイオードブリッジ回路１１を介して一旦略直流に変換された後、前記高周波発振器１２により高周波の交流に変換される。
【００６０】
この高周波発振器１２には、フリップフロップ回路よりなる高周波切換指令回路１３が接続されており、該高周波切換指令回路１３により高周波の切換が行われ、該切り換えられた高周波の交流は、前記高周波切換指令回路１３に接続したトランジスタ１４ａ、１５ａと、１４ｂ、１５ｂとから構成された高周波スイッチに入力され、該高周波スイッチを介して一対の交流電極３ａ、３ｂに印加される。
【００６１】
このように、本発明に係る硝酸性窒素の除去方法に用いる電気回路としては、ＡＣコード５から供給される交流を直接的に用いるばかりでなく、高周波の交流に変換して用いても良く、また、該交流の周波数を時系的に変化させても良いのである。
【実施例３】
【００６２】
次に、本発明に係る硝酸性窒素の除去方法に用いることができる実施例３の電気回路を図３に示してある。なお、この実施例３においては、前記実施例１に脱気装置を配設したものであり、その他の構成については、前記実施例１と実質的に同一であるため、前記実施例１と実質的に同一の部分については、同一の符号を付し、説明が重複するため、その詳細な説明については省略する。
【００６３】
この実施例３においては、前記実施例１に脱気装置２１として、減圧室に半透明膜状のパイプ（電極カバー）を一対の交流電極３ａ、３ｂのそれぞれの周囲に配設したものである。この脱気装置２１としては、前記半透明膜状のパイプ（電極カバー）以外にも、例えば、窒素ガスのバブリング装置等を使用することができ、また、脱気装置２１を用いなくても、液体２を加熱して脱気するだけであっても良い。
【００６４】
このように、液体２中の酸素を脱気することによって、一対の交流電極３ａ、３ｂ及び／または接地電極４から発生された水素と、硝酸性窒素との反応がよりスムーズに行われるようになるのである。
【実施例４】
【００６５】
次に、本発明に係る硝酸性窒素の除去方法に用いることができる実施例４の電気回路を図４に示してある。なお、この実施例４においては、前記実施例１に脱気装置を配設したものであり、その他の構成については、前記実施例１と実質的に同一であるため、前記実施例１と実質的に同一の部分については、同一の符号を付し、説明が重複するため、その詳細な説明については省略する。
【００６６】
この実施例４においては、前記実施例１に脱気装置３１として、ステンレスまたはチタン等の金属からなる網状のパイプ（電極カバー）を一対の交流電極３ａ、３ｂのそれぞれの周囲に配設して、接地電極４と同電位にしたものである。
【００６７】
このように脱気装置３１は接地の電位にしてあるため、一対の交流電極３ａ、３ｂから発生した酸素が網状パイプからなる脱気装置３１に吸着されるようになるため、液体２中の酸素が脱気されて、一対の交流電極３ａ、３ｂ及び／または接地電極４から発生された水素と、硝酸性窒素との反応がよりスムーズに行われるようになるのである。
【００６８】
なお、本発明に係る硝酸性窒素の除去方法により、液体２中に金属イオンが生じた場合には、各種凝集剤等を用いることによって沈殿させたり、除去フィルターを用いたりすることによって、除去することができる。
【図面の簡単な説明】
【００６９】
【図１】本発明の実施例１に係る硝酸性窒素の除去方法に用いることができる電気回路である。
【図２】本発明の実施例２に係る硝酸性窒素の除去方法に用いることができる電気回路である。
【図３】本発明の実施例３に係る硝酸性窒素の除去方法に用いることができる電気回路であり、一対の交流電極に半透明膜状のパイプからなる脱気装置を配設した概略図である。
【図４】本発明の実施例４に係る硝酸性窒素の除去方法に用いることができる電気回路であり、一対の交流電極に金属製で網状のパイプからなる脱気装置を配設した概略図である。
【符号の説明】
【００７０】
１  処理槽
２  液体
３ａ、３ｂ  一対の交流電極
４  接地電極
５  ＡＣコード
６  変圧器
７ａ、７ｂ、１０ａ、１０ｂ  ダイオード
８  加熱手段
９  切り換えスイッチ
１１  ダイオードブリッジ回路
１２  高周波発振器
１３  高周波切換指令回路
１４ａ、１５ａ、１４ｂ、１５ｂ  トランジスタ
２１、３１  脱気装置（電極カバー）
【図１】
2005296743.tif 000011
【図２】
2005296743.tif 000012
【図３】
2005296743.tif 000013
【図４】
2005296743.tif 000014